(57)【要約】【課題】高品質な音場を生成することが可能なスピーカ及び音声再生装置を提供する。【解決手段】スピーカ１は、固定部１０と、固定部１０に接続され、固定部１０に対して振動することで音波を放射する第１の振動部２０と、第１の振動部２０に対向するように固定部１０に接続され、固定部１０に対して振動することで第１の振動部２０により固定部１０に加えられる反力と同一の大きさであって反対方向の反力を固定部１０に加える第２の振動部３０と、を備える。【選択図】図２
2019213162.tif 000002
【特許請求の範囲】
【請求項１】
固定部と、
前記固定部に接続され、前記固定部に対して振動することで音波を放射する第１の振動部と、
前記第１の振動部に対向するように前記固定部に接続され、前記固定部に対して振動することで前記第１の振動部により前記固定部に加えられる反力と同一の大きさであって反対方向の反力を前記固定部に加える第２の振動部と、
を備えるスピーカ。
【請求項２】
前記固定部は、互いに離れて配置された２つの磁気空隙に磁界を形成する磁気回路を備え、
前記第１の振動部及び前記第２の振動部は、各磁気空隙内に配置され、互いに電気的に直列に接続されているボイスコイルを備える、
請求項１に記載のスピーカ。
【請求項３】
前記第２の振動部のボイスコイルは、前記第１の振動部のボイスコイルよりもインピーダンスが小さい、
請求項２に記載のスピーカ。
【請求項４】
前記第１の振動部は、音声を放出する振動板と、前記振動板に接続され、前記ボイスコイルが周囲に巻き付けられる円筒形状のボビンと、を備え、
前記第２の振動部は、布状の重量体と、前記重量体に接続され、前記ボイスコイルが周囲に巻き付けられる円筒形状のボビンと、を備える、
請求項２又は３に記載のスピーカ。
【請求項５】
前記固定部は、前記第１の振動部及び前記第２の振動部を指示するフレームを備え、
前記重量体は、その中心部が前記第２の振動部の前記ボビンの先端部に接続され、その周縁部が前記第２の振動部を支持する前記フレームに接続されるマイクロファイバークロスである、
請求項４に記載のスピーカ。
【請求項６】
前記重量体は、前記振動板よりも質量が大きくなるように形成されている、
請求項４又は５に記載のスピーカ。
【請求項７】
前記磁気回路は、
円筒形状の永久磁石と、
前記永久磁石の内部空間に収容され、前記永久磁石の長手方向に延び、磁性材料で構成される円柱形状のセンターポールと、
前記永久磁石の長手方向の両端部に接続され、磁性材料で構成され、前記センターポールとの間で磁気空隙を形成する一対のポールピースと、
を備える、
請求項２から６のいずれか１項に記載のスピーカ。
【請求項８】
請求項１から７のいずれか１項に記載のスピーカと、
前記スピーカに電気的に接続され、前記スピーカに音声信号を供給するオーディオ機器と、
を備える音声再生装置。
【発明の詳細な説明】
【技術分野】
【０００１】
本発明は、スピーカ及び音声再生装置に関する。
【背景技術】
【０００２】
スピーカにおいて磁気回路内に配置されたボイスコイルに音声信号が流れると、ローレンツ力が発生して振動部が振動するだけでなく固定部も振動する現象が知られている。固定部の振動は、雑音の原因となるため、スピーカの固定部の振動を抑制するための改良が試みられている。例えば、特許文献１には、取り付け板（固定部）を介して互いに対称に接合された主スピーカ及び副スピーカを備えるスピーカが開示されている。
【先行技術文献】
【特許文献】
【０００３】
【特許文献１】特開平１−３０７３９８号公報
【発明の概要】
【発明が解決しようとする課題】
【０００４】
特許文献１のスピーカは、主スピーカの振動板と副スピーカの振動板とを互いに反対方向に振動させることで、主スピーカの振動板の振動を副スピーカの振動板の振動で打ち消そうとしている。しかし、特許文献１のスピーカは、主スピーカ及び副スピーカの振動板の振動自体に着目しているため、取り付け板に加わるローレンツ力の反力を十分に抑制することができず、結果として高品質な音場を生成することが困難である。
【０００５】
本発明は、このような背景に基づいてなされたものであり、高品質な音場を生成することが可能なスピーカ及び音声再生装置を提供することを目的とする。
【課題を解決するための手段】
【０００６】
上記目的を達成するために、本発明の第１の観点に係るスピーカは、
固定部と、
前記固定部に接続され、前記固定部に対して振動することで音波を放射する第１の振動部と、
前記第１の振動部に対向するように前記固定部に接続され、前記固定部に対して振動することで前記第１の振動部により前記固定部に加えられる反力と同一の大きさであって反対方向の反力を前記固定部に加える第２の振動部と、
を備える。
【０００７】
前記固定部は、互いに離れて配置された２つの磁気空隙に磁界を形成する磁気回路を備え、
前記第１の振動部及び前記第２の振動部は、各磁気空隙内に配置され、互いに電気的に直列に接続されているボイスコイルを備えてもよい。
【０００８】
前記第２の振動部のボイスコイルは、前記第１の振動部のボイスコイルよりもインピーダンスが小さくてもよい。
【０００９】
前記第１の振動部は、音声を放出する振動板と、前記振動板に接続され、前記ボイスコイルが周囲に巻き付けられる円筒形状のボビンと、を備え、
前記第２の振動部は、布状の重量体と、前記重量体に接続され、前記ボイスコイルが周囲に巻き付けられる円筒形状のボビンと、を備えてもよい。
【００１０】
前記固定部は、前記第１の振動部及び前記第２の振動部を指示するフレームを備え、
前記重量体は、その中心部が前記第２の振動部の前記ボビンの先端部に接続され、その周縁部が前記第２の振動部を支持する前記フレームに接続されるマイクロファイバークロスであってもよい。
【００１１】
前記重量体は、前記振動板よりも質量が大きくなるように形成されていてもよい。
【００１２】
前記磁気回路は、
円筒形状の永久磁石と、
前記永久磁石の内部空間に収容され、前記永久磁石の長手方向に延び、磁性材料で構成される円柱形状のセンターポールと、
前記永久磁石の長手方向の両端部に接続され、磁性材料で構成され、前記センターポールとの間で磁気空隙を形成する一対のポールピースと、
を備えてもよい。
【００１３】
上記目的を達成するために、本発明の第２の観点に係る音声再生装置は、
前記スピーカと、
前記スピーカに電気的に接続され、前記スピーカに音声信号を供給するオーディオ機器と、
を備える。
【発明の効果】
【００１４】
本発明によれば、高品質な音場を生成することが可能なスピーカ及び音声再生装置を提供できる。
【図面の簡単な説明】
【００１５】
【図１】本発明の実施の形態に係る音声再生装置の構成を示す図である。
【図２】本発明の実施の形態に係るスピーカを長手方向に切断した断面図である。
【図３】図１のスピーカをリア側から観察した図である。
【図４】本発明の実施の形態に係るスピーカのフロント側を拡大した断面図である。
【図５】本発明の実施の形態に係るスピーカの動作を説明するための図である。
【図６】実施例におけるスピーカを示す図である。
【図７】実施例における振動比と周波数との関係を示すグラフである。
【図８】本発明の変形例におけるスピーカの構成を示す図である。
【発明を実施するための形態】
【００１６】
以下、本発明に係るスピーカ及び音声再生装置の実施の形態を、図面を参照しながら詳細に説明する。各図面においては、同一又は同等の部分に同一の符号を付している。
【００１７】
（実施の形態）
図１〜図４を参照して、実施の形態に係るスピーカ及び音声再生装置の構成を説明する。以下、実施の形態では、フロント側とリア側で磁気回路を共有する磁気回路一体型のスピーカを例に説明するが、本発明のスピーカは、磁気回路一体型のスピーカに限られない。
【００１８】
図１は、実施の形態に係る音声再生装置１００の構成を示す図である。音声再生装置１００は、スピーカ１と、スピーカ１に電気的に接続されるオーディオ機器２と、を備える。スピーカ１は、音波を放出する際に固定部に加えられるローレンツ力の反力を、当該反力と同じ大きさで反対方向の反力を固定部に発生させて打ち消すことで、固定部の振動を抑制する。スピーカ１は、各構成を内部に収容する箱状のキャビネット（図示せず）を備える。
【００１９】
図１の左側（フロント側）は、音声を聴くユーザ側に向けて配置され、ユーザに向かって音波を放出するように構成され、右側（リア側）は、ユーザ側と反対方向を向くように配置され、フロント側で発生するローレンツ力の反力を打ち消すための機構を備える。
【００２０】
オーディオ機器２は、ケーブル３を介してスピーカ１に電気的に接続されている。より詳細に説明すると、オーディオ機器２の＋端子がフロント側の＋端子に接続され、フロント側の−端子がリア側の＋端子に接続され、さらにリア側の−端子がオーディオ機器２の−端子に接続されている。オーディオ機器２は、スピーカ１に向けて音声を再生するための音声信号を出力する。オーディオ機器２から出力された音声信号がスピーカ１に入力されると、スピーカ１の振動板（図示せず）に振動が発生し、音声信号に対応した音声がフロント側から放出される。
【００２１】
図２は、実施の形態に係るスピーカ１を長手方向に切断した断面図である。スピーカ１は、直接放射型のダイナミックスピーカである。スピーカ１は、固定部１０と、固定部１０に対して振動することで、音波を放出する第１の振動部２０と、固定部１０に対して振動することで、第１の振動部２０の振動により固定部１０に加えられるローレンツ力の反力を打ち消す第２の振動部３０と、固定部１０に対して第１の振動部２０及び第２の振動部３０をそれぞれ変位可能に接続する接続部４０と、を備える。第１の振動部２０と第２の振動部３０とは、互いに対向するように配置されている。
【００２２】
固定部１０は、第１の振動部２０及び第２の振動部３０をその内側で支持するフレーム１１と、フレーム１１に固定され、第１の振動部２０及び第２の振動部３０の振動を発生させるのに必要な磁界を生成する磁気回路１２と、を備える。
【００２３】
フレーム１１は、互いに別体であるフロント側のフレームとリア側のフレームとを備える。フレーム１１は、例えば、円錐形状で形成され、第１の振動部２０及び第２の振動部３０を収容可能な空間を有する。フレーム１１の底部（径の大きい方の端部）は、図示しないスピーカ１のキャビネットに固定され、フレーム１１の頂部（径の小さい方の端部）は、磁気回路１２の長手方向の両端部にそれぞれ固定されている。
【００２４】
磁気回路１２は、円筒形状の永久磁石１２ａと、永久磁石１２ａの内部空間に収容され、スピーカ１の長手方向に延びる円柱形状のセンターポール１２ｂと、永久磁石１２ａの長手方向の両端部に接続され、センターポール１２ｂの外周面を覆うように形成された一対のポールピース１２ｃと、を備える。
【００２５】
永久磁石１２ａは、例えば、フェライト磁石、サマリウムコバルト磁石、ネオジム磁石等で構成される。永久磁石１２ａの外径は、ポールピース１２ｃの外径と同一であり、永久磁石１２ａの内径は、ポールピース１２ｃの内径よりも大きい。
【００２６】
センターポール１２ｂの外径は、ポールピース１２ｃの内径よりも小さく、センターポール１２ｂは、その中間部でスペーサ１２ｄを介して永久磁石１２ａに支持されている。センターポール１２ｂの長手方向の両端部は、それぞれポールピース１２ｃの内周面に対向するように配置されている。
【００２７】
センターポール１２ｂ及びポールピース１２ｃは、いずれも磁性材料で構成されている。このため、センターポール１２ｂと一対のポールピース１２ｃとは、永久磁石１２ａからの磁力により双極性の磁場が発生する２つの磁気空隙１３を生成する。なお、スペーサ１２ｄは、センターポール１２ｂを支持する部材であって、非磁性体で構成されている。
【００２８】
なお、磁気回路１２は、上記の例に限られず、内磁型の磁気回路であってもよい。内磁型の磁気回路を得るためには、図２の１２ａを磁性材料、１２ｂの全体又は一部を永久磁石で構成すればよい。１２ｂの一部を永久磁石で構成した場合、１２ｂのその他の部分は磁性材料で構成すればよい。
【００２９】
第１の振動部２０は、フロント側に配置され、音声信号に応じて音声を再生するように振動する。第１の振動部２０は、空気を振動させる振動板２１と、振動板２１に接続された円筒形状のボビン２２と、ボビン２２の周囲に巻き付けられ、オーディオ機器２から音声信号が供給されるボイスコイル２３と、を備える。
【００３０】
振動板２１は、例えば、紙、樹脂材料、金属等で形成された円錐形状のコーンである。
ボビン２２は、その先端部が振動板２１の頂部（径の小さい方の端部）に固定され、例えば、紙等で形成された筒状部材である。ボイスコイル２３は、ボビン２２の基端部にらせん状に巻き付けられ、ケーブル３にコネクタ等を介して電気的に接続されている。ボイスコイル２３は、センターポール１２ｂとポールピース１２ｃとで形成される磁気空隙１３に配置されている。
【００３１】
第２の振動部３０は、リア側に配置され、第１の振動部２０が振動することによる固定部１０の振動を抑制するように振動する。第２の振動部３０は、第１の振動部２０で発生したローレンツ力により固定部１０に加えられる反力を打ち消すために、第１の振動部２０と同一の大きさで反対方向に振動するように、第１の振動部２０に対向して配置されている。
【００３２】
第２の振動部３０は、第１の振動部２０と略同一の構成を備えるが、振動板２１を重量体３１で置き換えている点で第１の振動部２０と主に相違する。第２の振動部３０は、布状の重量体３１と、重量体３１に接続された円筒形状のボビン３２と、ボビン３２に巻き付けられたボイスコイル３３と、を備える。
【００３３】
第１の振動部２０と第２の振動部３０とは、いずれも接続部４０を介して固定部１０に接続されており、磁気回路１２に形成された磁気空隙１３内に、それぞれのボイスコイル２３、３３が配置されている。また、それぞれのボイスコイル２３、３３は、図示しない電気回路により電気的に直列に接続され、オーディオ機器２から同一の音声信号（電流）が供給されるように構成されている。このため、２つのボイスコイル２３、３３の長さと２つの磁気空隙１３の磁界を適切に設定することで、２つのボイスコイル２３、３３に働くローレンツ力が常に反対方向で大きさが同一となるように構成できる。
【００３４】
図３は、図１のスピーカ１をリア側から観察した図である。重量体３１は、ボビン３２からの振動が伝達された場合であっても音響放射を抑制可能な程度に柔らかさを有する円形状の布である。重量体３１は、例えば、ポリエステル等の材料から構成されたマイクロファイバークロスである。重量体３１は、その周縁部３１ａが接続部４０のエッジに接着剤等で接着されている。重量体３１では、雑音の原因となる音響放射が抑制されるため、振動板２１による音声の再生に影響を及ぼすことがない。
【００３５】
重量体３１は、振動板２１よりも質量が大きくなるように構成されることが好ましい。重量体３１の質量が振動板２１よりも大きい場合、重量体３１の最低共振周波数を振動板２１よりも低く保つことができる。最低共振周波数は、エフゼロとも呼ばれ、対象物が共振する場合における最も低い周波数である。最低共振周波数ｆ０は、重量体３１を支持する接続部４０の剛性をＥ、重量体３１の質量をＭ、係数をｋとすると、以下の式で表される。
ｆ０＝ｋ√（Ｅ／Ｍ）  …（１）
【００３６】
式（１）から理解できるように、重量体３１の質量Ｍを大きくするか、接続部４０の剛性Ｅを低くすることで、重量体３１の最低共振周波数ｆ０を低くできる。重量体３１の最低共振周波数ｆ０を低くするならば、重量体３１が第１の振動部２０のインピーダンス特性に与える影響を軽減できる。
【００３７】
図２に戻り、ボビン３２は、その先端部が重量体３１の中心部３１ｂに接着剤等で固定され、例えば、紙等で形成された筒状部材である。ボビン３２は、その長さがボビン２２と異なっている以外は、ボビン２２と同一の構成を有する。
【００３８】
ボイスコイル３３は、ボビン３２の基端部にらせん状に巻き付けられ、ケーブル３にコネクタ等を介して電気的に接続されている。ボイスコイル３３は、センターポール１２ｂとポールピース１２ｃとで形成される磁気空隙１３に配置されている。
【００３９】
ボイスコイル２３、３３に作用するローレンツ力は、ボイスコイル２３、３３の巻数、線径、素材及び磁気空隙１３の特性に依存する。リア側のボイスコイル３３は、音響出力効率を向上させるために、フロント側のボイスコイル２３よりもインピーダンスが低くなるように設定することが好ましい。
【００４０】
接続部４０は、フレーム１１とボビン２２とを接続するダンパー４１と、フレーム１１と振動板２１とを接続するエッジ４２と、を備える。ダンパー４１は、フレーム１１の頂部の内周面とボビン２２の先端部の外周面とを接続する。エッジ４２は、フレーム１１の底部の内周面と振動板２１の外周面とを接続する。
【００４１】
図４は、実施の形態に係るスピーカ１のフロント側の構成を拡大した断面図である。図４では、理解を容易にするために、スピーカ１のリア側の構成を省略している。ダンパー４１及びエッジ４２は、振動板２１の前後方向の動きを妨げない形状で構成されている。また、ダンパー４１及びエッジ４２は、第１の振動部２０及び第２の振動部３０の振動がフレーム１１に伝達しないように、第１の振動部２０及び第２の振動部３０の振動を吸収する構造又は形状で構成されている。ダンパー４１は、例えば、フェノール樹脂を含浸させた布で形成されている。エッジ４２は、例えば、湾曲したバネ状に形成され、ダンパー４１に比べて柔らかい材料で形成されている。
【００４２】
次に、図５を参照して、実施の形態に係るスピーカ１の動作を説明する。図５は、実施の形態に係るスピーカ１の動作を説明するための図である。図５では、ローレンツ力とその反力が発生する仕組みの理解を容易にするために、スピーカ１のリア側の構成を省略している。
【００４３】
図５に示すように、磁気回路１２は、センターポール１２ｂとポールピース１２ｃとの間に形成される磁気空隙１３において矢印の向き（図５の水平方向）に磁束（磁束密度Ｂ）を発生させている。このため、オーディオ機器２からの音声信号がボイスコイル２３に供給されると、ボイスコイル２３を流れる電流に磁束が作用して、ボイスコイル２３にローレンツ力Ｆが発生する。
【００４４】
ローレンツ力Ｆが発生する向きは、フレミングの左手の法則に従って図５の上方向又は下方向である。また、ローレンツ力Ｆの大きさは、ボイスコイル２３の長さをＬ、ボイスコイル２３に供給される電流をｉとすると、以下の式で表される。
Ｆ＝Ｂ×Ｌ×ｉ  …（２）
【００４５】
ボイスコイル２３がボビン２２の基端部に巻き付けられているため、ボイスコイル２３に音声信号が供給されると、ボイスコイル２３が振動し、ボビン２２を介して振動板２１に振動が伝達される。これにより、振動板２１の周辺の空気に振動が伝達され、振動板２１から音波が放射される。振動板２１にローレンツ力Ｆが作用すると、作用反作用の法則により固定部１０の磁気回路１２にもローレンツ力Ｆと同じ大きさで反対方向を向く反力Ｆ’が作用する。
【００４６】
他方、ボイスコイル２３、３３が電気的に直列に接続され、ボイスコイル２３に供給されるのと同一の電流がボイスコイル３３に供給されると共に、それぞれの磁気空隙１３の磁束密路Ｂとボイスコイル２３、３３の長さＬの積（Ｂ×Ｌ）が同一となるように設定されると、ボイスコイル３３には、ボイスコイル２３のローレンツ力Ｆと同一の大きさで反対方向のローレンツ力−Ｆが作用する。ボイスコイル３３で発生したローレンツ力−Ｆは、ボイスコイル２３で発生したローレンツ力Ｆにより固定部１０に作用する反力Ｆ’と、同一の大きさで反対方向の反力−Ｆ’を固定部１０に作用させる。
【００４７】
このため、第１の振動部２０が固定部１０に発生させる反力Ｆ’と第２の振動部３０が固定部１０に発生させる反力−Ｆ’とは、常に同じ大きさで反対方向を向いているため、互いに打ち消しあうことになる。ローレンツ力Ｆ、−Ｆの大きさと向きを制御することは、振動の振幅、位相、周波数等を制御することに比べて容易であるため、ローレンツ力Ｆ、−Ｆの大きさと向きを制御することで雑音の原因となる振動が固定部１０に発生することを簡単に抑制できる。結果として、キャビネットの質量を増大させたり、高い剛性を付与したりする必要がなくなり、スピーカのセッティングに特別な配慮も不要となる。
【００４８】
また、第２の振動部３０のボイスコイル３３がボビン３２に巻き付けられ、ボビン３２が重量体３１に接着されているため、ボイスコイル３３に音声信号の電流が供給されると、ボビン３２を介して重量体３１に振動が伝達される。しかし、重量体３１は、マイクロファイバークロス等の柔らかな布で構成されているため、重量体３１周辺の空気を振動させることがなく、重量体３１からの音響放射を抑制できる。
【００４９】
以上説明したように、実施の形態に係るスピーカ１は、第１の振動部２０により固定部１０に加えられる反力と同一の大きさであって反対方向の反力を固定部１０に加える第２の振動部３０を備える。このため、固定部１０の振動を効果的に抑制でき、高品位の音場を容易に生成できる。
【００５０】
以下、実施例を挙げて本発明を具体的に説明する。ただし、本発明はこれらの実施例に限定されるものではない。
【００５１】
（実施例）
図６は、リア側のコーン紙（振動板２１）をマイクロファイバークロス（重量体３１）に置き換えた実施の形態に係るスピーカ（直径６．５インチ）の一例を示す。表面の布状の部材がマイクロファイバークロスである。実施例では、図６のスピーカから周波数を変化させて音響出力させた場合のフレーム１１の振動とコーン（振動板２１）の振動を測定した。測定されたフレーム１１の振動とコーン（振動板２１）の振動とから、両者の振幅の比を算出した。比較例として従来のスピーカを用いて同様の実験を行った。従来のスピーカは、図６のスピーカと同様に直径６．５インチであり、リア側に振動抑制用の機構を備えていないスピーカである。
【００５２】
図７は、コーン（振動板２１）の振動の振幅に対するフレーム１１の振動の振幅の比（フレーム振動／コーン振動）と、スピーカに供給される音声信号の周波数との関係を示すグラフである。従来のスピーカでは、周波数が約１５０Ｈｚ以上になると、フレーム１１の振動が大きくなっているのに対し、図６のスピーカでは、約５０Ｈｚ（最低共振周波数）から３００Ｈｚ辺りまでフレーム１１の振動を抑制できた。
【００５３】
また、１．２５インチ径、２インチ径のスピーカについても同様の実験を実施したところ、６．５インチ径のスピーカの場合と同様の結果を得ることができた。このことから、図６のスピーカは、その直径の大小にかかわらず、フレーム１１（固定部１０）の振動を効果的に抑制できることが理解できる。
【００５４】
さらに、図６のスピーカを用いて実際に試聴したところ、極めて品位の高い音場が形成できていることを確認できた。また、図６のスピーカをキャビネットやバッフルに装着した場合にも、セッティングに対する特別な配慮もほぼ皆無であった。これは、フレーム１１の振動に由来する「箱鳴り」や「箱揺れ」が抑制されたためであると考えられる。
【００５５】
（変形例）
本発明は上記の実施形態に限られず、以下に述べる変形も可能である。
【００５６】
上記実施の形態では、第１の振動部２０と第２の振動部３０とが磁気回路１２を共有する磁気回路一体型であったが、本発明はこれに限られない。例えば、第１の振動部２０と第２の振動部３０とで磁気回路１２を別体に構成してもよい。磁気回路１２を別体に構成する場合、各磁気空隙１３で異なる磁界を生成するために、例えば、永久磁石１２ａを互いに異なる材料で構成してもよい。
【００５７】
また、図８に示すように、第１のスピーカ１ａに対して、第１のスピーカ１ａの振動板２１を重量体３１に置き換えた以外は同一の構成を有する第２のスピーカ１ｂを対向する向きで背中合わせに固定することで、固定部１０の振動、ひいてはキャビネット（図示せず）の振動を打ち消すように構成してもよい。
【００５８】
上記実施の形態では、振動板２１が円錐形状のコーンであったが、本発明はこれに限られない。例えば、振動板２１は、ドーム形状のコーンであってもよい。
【００５９】
上記実施の形態では、ボイスコイル２３、３３の太さが同一であったが、本発明はこれに限られない。例えば、ボイスコイル３３をボイスコイル２３よりも太くして抵抗を低くすることによって、音響出力効率を向上させてもよい。この場合、例えば、ボイスコイル２３の抵抗とボイスコイル３３の抵抗の比が１：９となるように、ボイスコイル３３を拡径してもよい。
【００６０】
ボイスコイル３３の抵抗をボイスコイル２３よりも抑制するために、ボイスコイル３３の長さをボイスコイル２３よりも短くしてもよい。ボイスコイル２３、３３に加えられるローレンツ力の大きさを同一にするとの条件を満たすには、式（２）より、ボイスコイル２３に作用する磁束密度Ｂ２とボイスコイル２３の長さＬ２との積と、ボイスコイル３３に作用する磁束密度Ｂ３とボイスコイル３３の長さＬ３との積と、を同一にする必要がある（Ｂ２×Ｌ２＝Ｂ３×Ｌ３）。
【００６１】
したがって、ボイスコイル３３の長さＬ３をボイスコイル２３の長さＬ２よりも短くする場合、ボイスコイル３３に作用する磁束密度Ｂ３をボイスコイル２３に作用する磁束密度Ｂ２よりも大きくすればよい。磁束密度Ｂ３を大きくするには、例えば、ポールピース１２ｃの厚さを小さくすればよい。また、第１の振動部２０と第２の振動部３０とで磁気回路１２を別体に構成する場合であれば、第２の振動部３０に対応する磁気回路１２の永久磁石を第１の振動部２０に対応する磁気回路１２の永久磁石よりも磁力の強い材料で構成すればよい。
【００６２】
上記実施の形態では、ボイスコイル２３、３３が別体に構成されていたが、本発明はこれに限れない。第１の振動部２０と第２の振動部３０とが同一のボイスコイルを共有するように構成してもよい。
【００６３】
上記実施の形態は例示であり、本発明はこれらに限定されるものではなく、特許請求の範囲に記載した発明の趣旨を逸脱しない範囲でさまざまな実施の形態が可能である。各実施の形態や変形例で記載した構成要素は自由に組み合わせることが可能である。また、特許請求の範囲に記載した発明と均等な発明も本発明に含まれる。
【符号の説明】
【００６４】
１      スピーカ
１ａ    第１のスピーカ
１ｂ    第２のスピーカ
２      オーディオ機器
３      ケーブル
１０    固定部
１１    フレーム
１２    磁気回路
１２ａ  永久磁石
１２ｂ  センターポール
１２ｃ  ポールピース
１２ｄ  スペーサ
１３    磁気空隙
２０    第１の振動部
２１    振動板
２２，３２    ボビン
２３，３３    ボイスコイル
３０    第２の振動部
３１    重量体
３１ａ  周縁部
３１ｂ  中心部
４０    接続部
４１    ダンパー
４２    エッジ
１００  音声再生装置
【図１】
2019213162.tif 000003
【図２】
2019213162.tif 000004
【図３】
2019213162.tif 000005
【図４】
2019213162.tif 000006
【図５】
2019213162.tif 000007
【図６】
2019213162.tif 000008
【図７】
2019213162.tif 000009
【図８】
2019213162.tif 000010